(57)【特許請求の範囲】
【請求項１】
基台と、撮像素子と、シンチレータと、を有し、
前記基台と前記撮像素子との間に配置され、前記基台と前記撮像素子とを固定する第１の熱膨張性微小球を含む第１の加熱剥離型粘着層と、
前記撮像素子と前記シンチレータとの間に配置され、前記撮像素子と前記シンチレータとを固定する第２の熱膨張性微小球を含む第２の加熱剥離型粘着層と、を有し、
前記第１の加熱剥離型粘着層は、第１の熱膨張性微小球を含み、前記第２の加熱剥離型粘着層は、第２の熱膨張性微小球を含み、前記第１の熱膨張性微小球と前記第２の熱膨張性微小球の発泡開始温度は異なることを特徴とする放射線撮像装置。
【請求項２】
前記第１の熱膨張性微小球と前記第２の熱膨張性微小球の発泡開始温度は２０℃以上異なることを特徴とする請求項１に記載の放射線撮像装置。
【請求項３】
前記第１の熱膨張性微小球の発泡開始温度より前記第２の熱膨張性微小球の発泡開始温度の方が低いことを特徴とする請求項１又は２に記載の放射線撮像装置。
【請求項４】
前記撮像素子は画素ピッチＰで配置された複数の画素を有し、前記第２の熱膨張性微小球の平均粒径は、前記画素ピッチＰより小さいことを特徴とする請求項１乃至３のいずれか１項に記載の放射線撮像装置。
【請求項５】
前記撮像素子は画素ピッチＰで配置された複数の画素を有し、前記第２の熱膨張性微小球の平均粒径は、前記画素ピッチＰより小さく、且つ５０μｍ以下であり、前記第２の加熱剥離型粘着層の厚みは１μｍ以上５０μｍ以下であることを特徴とする請求項１乃至３のいずれか１項に記載の放射線撮像装置。
【請求項６】
前記基台と前記シンチレータとの間に配置された前記撮像素子の周囲を囲んで配置された樹脂と、を有することを特徴とする請求項１乃至５のいずれか１項に記載の放射線撮像装置。
【請求項７】
前記樹脂を貫通して前記撮像素子に接続された配線基板を更に有する請求項６に記載の放射線撮像装置。
【請求項８】
前記撮像素子が複数の撮像素子を有し、
前記第１の加熱剥離型粘着層は、前記撮像素子毎に分離して配置されていることを特徴とする請求項１乃至７のいずれか１項に記載の放射線撮像装置。
【請求項９】
前記第２の加熱剥離型粘着層は、前記シンチレータからの光を透過する光透過性を有ることを特徴とする請求項１乃至８のいずれか１項に記載の放射線撮像装置。
【請求項１０】
基台に固定された複数の撮像素子と、放射線を前記複数の撮像素子が感知可能な波長の光に変換するシンチレータと、を有する放射線撮像装置であって、
前記複数の撮像素子は、熱膨張性微小球を含む加熱剥離型粘着層によって前記基台に固定されており、
前記加熱剥離型粘着層は、前記複数の撮像素子毎に分離して配置されていることを特徴とする放射線撮像装置。
【請求項１１】
請求項１乃至１０のいずれか１項に記載の放射線撮像装置と、
前記放射線撮像装置からの信号を処理する信号処理手段と、を有する放射線撮像システム。
【請求項１２】
基台と撮像素子の間に第１の熱膨張性微小球を含む第１の加熱剥離型粘着層を介して固定する工程と、
前記撮像素子とシンチレータの間に、前記第１の熱膨張性微小球と発泡開始温度が異なる第２の熱膨張性微小球を含む第２の加熱剥離型粘着層を介して前記基台と前記撮像素子とを固定する工程と、を有する放射線撮像装置の製造方法。
【請求項１３】
前記基台に固定された前記撮像素子を検査する工程と、
前記検査する工程において、欠陥を有する撮像素子と判断された場合、前記第１の熱膨張性微小球より発泡開始温度が低い前記第２の熱膨張性微小球を加熱により膨張させ、前記シンチレータを剥離する工程と、を更に有することを特徴とする請求項１２に記載の放射線撮像装置の製造方法。
【請求項１４】
前記シンチレータを剥離する工程の後、前記欠陥を有する撮像素子を固定しながら前記第１の熱膨張性微小球を加熱により膨張させ、前記欠陥を有する撮像素子を剥離する工程を有することを特徴とする請求項１３に記載の放射線撮像装置の製造方法。
【請求項１５】
基台と複数の撮像素子の間に前記複数の撮像素子毎に分離して配置された熱膨張性微小球を含む加熱剥離型粘着層を介して前記複数の撮像素子と前記基台とを固定する工程と、
前記複数の撮像素子とシンチレータとを固定する工程と、を有する放射線撮像装置の製造方法。
【発明の詳細な説明】
【技術分野】
【０００１】
本発明は、放射線を検出する放射線撮像装置、放射線撮像システム、放射線撮像装置の製造方法に関し、特に、医療画像診断装置、非破壊検査装置、分析装置等に用いられる放射線撮像装置に関する。
【背景技術】
【０００２】
現在、一般的に流通している単結晶半導体ウエハはガラス基板に比べて小型である。そのため、単結晶半導体ウエハを用いて大面積の検出器を形成するには、検出素子を形成した単結晶半導体ウエハを分割して複数の撮像素子チップを形成し、所望の面積となるような数の撮像素子チップを並べて形成している。
【０００３】
特許文献１には、低コスト化のため、撮像素子チップを装置の一部となるベース基板に接着する前に、撮像素子チップの検査と、欠陥が発見された撮像素子チップの交換とを行うことが記載されている。そして、検査と交換の後、撮像素子チップとベース基板とを接着固定することが記載されている。
【０００４】
また、特許文献２には、液晶表示装置におけるリワークのため、液晶表示モジュールユニットとバックライトユニットの固定に用いる両面粘着シートであって、熱膨張性微小球を含有する熱剥離粘着層を用いることが記載されている。
【先行技術文献】
【特許文献】
【０００５】
【特許文献１】特開２００２−１３９５６９号公報
【特許文献２】特開２００８−１４４１１６号公報
【発明の概要】
【発明が解決しようとする課題】
【０００６】
しかしながら特許文献１の方法では、複数の撮像素子チップとベース基板とを接着した後に、検査によって欠陥が発見された撮像素子チップを交換することは難しい。例えば、欠陥を有している撮像素子チップを剥離する際に、欠陥を有していない撮像素子チップへ外力が加わることによって割れる可能性がある。また、接着剤を溶かすための溶剤によっての欠陥を有していない撮像素子チップの特性低下が発生する可能性がある。
【０００７】
また、特許文献２は、１対１で固定した液晶表示装置の単純な剥離である。
【０００８】
そのため、撮像素子を挟んだ３以上の構成からなる多層構成での撮像素子の交換が容易となる構成が求められていた。
【０００９】
本発明は上述のような問題点に鑑みてなされたものであり、撮像素子の交換が容易な放射線撮像装置を提供することを目的とする。
【課題を解決するための手段】
【００１０】
そして、上記目的を達成するために、本発明に係る放射線撮像装置は、基台と、撮像素子と、シンチレータと、を有し、前記基台と前記撮像素子との間に配置され、前記基台と前記撮像素子とを固定する第１の熱膨張性微小球を含む第１の加熱剥離型粘着層と、前記撮像素子と前記シンチレータとの間に配置され、前記撮像素子と前記シンチレータとを固定する第２の熱膨張性微小球を含む第２の加熱剥離型粘着層と、を有し、前記第１の加熱剥離型粘着層は、第１の熱膨張性微小球を含み、前記第２の加熱剥離型粘着層は、第２の熱膨張性微小球を含み、前記第１の熱膨張性微小球と前記第２の熱膨張性微小球の発泡開始温度は異なる構成としたものである。
【発明の効果】
【００１１】
本発明によれば、撮像素子の交換が容易な放射線撮像装置を得ることが可能となる。
【図面の簡単な説明】
【００１２】
【図１】実施例１における放射線撮像装置の平面図及び断面図である。
【図２】加熱剥離型粘着層のセパレータ付きシートの断面図である。
【図３】加熱剥離型粘着層の接着力低下の反応・変化を模式的に示した図である。
【図４】第１の加熱剥離型粘着層と第２の加熱剥離型粘着層に含まれる熱膨張性微小球の膨張曲線である。
【図５】実施例１における放射線撮像装置の製造方法を説明する断面図である。
【図６】実施例１における放射線撮像装置の製造方法を説明する断面図である。
【図７】実施例１における放射線撮像装置の製造方法を説明する断面図である。
【図８】実施例２における放射線撮像装置の部分断面図である。
【図９】実施例３における放射線撮像装置を分解した斜視図である。
【図１０】実施例３における放射線撮像装置の部分断面図である。
【図１１】実施例３における放射線撮像システムを説明する模式図である。
【発明を実施するための形態】
【００１３】
以下に本発明の放射線撮像装置、放射線撮像システム及び放射線撮像装置の製造方法の実施形態を図面に基づいて説明する。本発明において、光は可視光、赤外線を含み、放射線はＸ線、α線、β線、γ線を含む。
【実施例１】
【００１４】
図１は、本実施形態の放射線撮像装置である。図１（ａ）は、放射線撮像装置の平面図であり、図１（ｂ）は図１（ａ）のＡ−Ａ’線における放射線撮像装置の断面図である。
【００１５】
図１に示すように、放射線撮像装置１は、基台２と、基台２上に第１の加熱剥離型粘着層３を介して固定された４つの撮像素子４と、撮像素子４上に第２の加熱剥離型粘着層５を介して固定されたシンチレータ６と、を有する。撮像素子４は、撮像素子と外部回路（不図示）との間で信号を転送するための配線基板１０が固定されている。４つの撮像素子４は、各撮像素子４が接触した際の電気的機械的な影響を低減するために間隔を有して基台２上に配置されている。なお、基台２に固定された撮像素子４は４つに限定されず、撮像素子４は１つ又は複数配されていればよい。撮像素子４は、スイッチ素子とセンサ部とを有する複数の画素を有する。例えば、ＣＭＯＳセンサ、ＣＣＤセンサ、非晶質シリコン（以下、ａ−Ｓｉと略記）を用いたＰＩＮ型やＭＩＳ型センサとＴＦＴにより構成された画素を有するａ−Ｓｉセンサ、ＳＯＩ（Ｓｉｌｉｃｏｎ  ｏｎ  ｉｎｓｕｌａｔｏｒ）センサ等である。配線基板１０は、フレキシブル配線板（ＦＰＣ）が好適に用いられるが、リジッド配線板を用いることができる。シンチレータ６は、基板７と、Ｘ線などの放射線を撮像素子４が感知可能な光に変換するシンチレータ層８と、保護層９と、を有する。基板７は、ａ−ＣやＡｌ、樹脂などが用いられる。シンチレータ層８は、Ｘ線などの放射線を撮像素子４が感知可能な光に変換するＣｓＩ：Ｔｌなどの柱状結晶やＧＯＳなどの粒子状結晶が用いられる。保護層９は外部からの水分や衝撃からシンチレータ層８を保護するため、ポリパラキシリレンやホットメルト樹脂などが用いられる。基台２は、ガラスを用いているが、他に石英、アクリルなどの樹脂、セラミック、金属などが用いられる。放射線撮像装置１の周囲は、外部からの水分などの浸入を低減するように、樹脂１１によって基台２とシンチレータ６との間で固定されて内部に撮像素子４が封止されている。配線基板１０は樹脂１１を貫通して配置されている。樹脂１１は、アクリル樹脂、エポキシ樹脂、シリコーン樹脂などが用いられ、光を吸収する黒色の樹脂であることが好ましい。なぜなら撮像素子４が感知可能な波長の光を基台２が透過する場合、他の回路基板の発光素子からの光が撮像素子４に迷光として入射することを防ぎ、画質の低下を低減するためである。第１の熱膨張性微小球を含有する第１の加熱剥離型粘着層３は基台２と撮像素子４との固定、そして、リペアの際に撮像素子４の交換を容易にするためにするために配置されている。第２の熱膨張性微小球を含有する第２の加熱剥離型粘着層５は撮像素子４とシンチレータ６との固定、そして、リペアの際に撮像素子４又はシンチレータ６の交換を容易にするために配置されている。第１の加熱剥離型粘着層３及び第２の加熱剥離型粘着層５は熱反応型であり、所定の温度以上の熱に反応して接着力が低下する特性を有している。そして、第１の加熱剥離型粘着層３及び第２の加熱剥離型粘着層５は接着力が低下する温度が異なる。接着力を低下させるために２種類の異なる温度条件を持っていると言うことは、すなわち異なる加熱温度によって剥離したい対象を選択できるということである。同じ条件で接着力を低下させた場合には、例えばシンチレータ６を取り外す際に撮像素子が一緒に持ち上��られて落下したり、他の撮像素子と接触したりということが可能性としてある。このような場合の、欠陥を有さない撮像素子を故障させてしまう可能性を低減させることができる。
【００１６】
第１の加熱剥離型粘着層３及び第２の加熱剥離型粘着層５は、含有する熱膨張性微小球が加熱により発泡及び／又は膨張し、被着物との接着面積が減少し粘着性が低下するので撮像素子などを安全に分離することが可能である。
【００１７】
接着剤と、発泡剤を含んだ熱膨張性微小球によって構成される。
【００１８】
以下、詳細に説明する。
【００１９】
接着剤としては、ゴム系接着剤、アクリル系接着剤、スチレン・共役ジエンブロック共重合体系接着剤、シリコーン系接着剤などの適宜なものを用いることができ、紫外線硬化型のものなども用いうる。
【００２０】
なお接着剤は、必要に応じて架橋剤、粘着性付与剤、可塑剤、充填剤、老化防止剤などの適宜な添加剤を配合したものであってもよい。
【００２１】
より具体的には例えば、天然ゴムや各種の合成ゴムをベースポリマーとするゴム系接着剤、メチル基、エチル基、プロピル基、ブチル基、２−エチルヘキシル基、イソオクチル基、イソノニル基、イソデシル基、ドデシル基、ラウリル基、トリデシル基、ペンタデシル基、ヘキサデシル基、ヘプタデシル基、オクタデシル基、ノナデシル基、エイコシル基の如き通例、炭素数が２０以下のアルキル基を有するアクリル酸やメタクリル酸の如きアクリル酸系のアルキルエステル、ヒドロキシエチル基、ヒドロキシプロピル基、グリシジル基の如き官能基含有基を有するアクリル酸やメタクリル酸等のエステル、アクリル酸、メタクリル酸、イタコン酸、Ｎ−メチロールアクリルアミド、アクリロニトリル、メタクリロニトリル、酢酸ビニル、スチレン、イソプレン、ブタジエン、イソブチレン、ビニルエーテルなどを成分とするアクリル系ポリマーをベースポリマーとするアクリル系接着剤などがあげられる。
【００２２】
接着剤は、被着体に対する接着強度等の使用目的に応じて適宜に選択使用され、加熱により発泡及び／又は膨張する接着層は、その接着剤に発泡剤を配合することで形成することができる。
【００２３】
発泡剤としては、上記の目的を達成できる種々のものを用いることができる。従って例えば、その接着剤の接着処理温度よりも高温で発泡及び／又は膨張する発泡剤が用いられる。用いうる発泡剤の例としては、炭酸アンモニウム、炭酸水素アンモニウム、炭酸水素ナトリウム、亜硝酸アンモニウム、水素化ホウ素ナトリウム、アジド類などの分解型の無機系発泡剤があげられる。
【００２４】
またアゾ系化合物などの有機系発泡剤も用いうる。その例としては、トリクロロモノフルオロメタンやジクロロモノフルオロメタンの如きフッ化アルカン、アゾビスイソブチロニトリルやアゾジカルボンアミド、バリウムアゾジカルボキシレートの如きアゾ系化合物、パラトルエンスルホニルヒドラジドやジフェニルスルホン−３，３’−ジスルホニルヒドラジド、４，４’−オキシビス（ベンゼンスルホニルヒドラジド）、アリルビス（スルホニルヒドラジド）の如きヒドラジン系化合物、ρ−トルイレンスルホニルセミカルバジドや４，４’−オキシビス（ベンゼンスルホニルセミカルバジド）の如きセミカルバジド系化合物、５−モルホリル−１，２，３，４−チアトリアゾールの如きトリアゾール系化合物、Ｎ，Ｎ’−ジニトロソペンタメチレンテトラミンやＮ，Ｎ’−ジメチル−Ｎ，Ｎ’−ジニトロソテレフタルアミドの如きＮ−ニトロソ系化合物、その他の低沸点化合物などがあげられる。
【００２５】
さらに、イソブタン、プロパン、ペンタンの如く容易にガス化して熱膨張性を示す適宜な物質をコアセルベーション法や界面重合法等で殻形成物質内に内包させた熱膨張性微小球も用いることができる。用いる熱膨張性微小球の平均粒径は、５〜５０μｍが一般的である。しかしながら、より微細な熱膨張性微小球も使用可能である。
【００２６】
なお熱膨張性微小球を形成する殻形成物質としては、例えば塩化ビニリデン−アクリロニトリル共重合体、ポリビニルアルコール、ポリビニルブチラール、ポリメチルメタクリレート、ポリアクリロニトリル、ポリ塩化ビニリデン、ポリスルホンなどが一般的であるが、本発明においては熱溶融性物質や熱膨張で破壊する物質などからなっていればよい。
【００２７】
また、第２の加熱剥離型粘着層５は、シンチレータ６が発光する光を撮像素子４が感知する必要があるため光透過性を有する。さらには高透過率であることが好ましい。シンチレータ６からの光が可視光の場合は、可視光の透過率が高いことが必要であり、特にシンチレータ層８の最大発光波長において９０％以上であることが好ましい。また、第２の加熱剥離型粘着層５の厚みは、厚くなるほど画像の明りょうさを示す鮮鋭度（ＭＴＦ）が低下するため、２００μｍ以下が好ましく、５０μｍ以下がより好ましく、さらには画素ピッチより小さいことが好ましい。ただし、接着力も必要であるため、１μｍ以上５０μｍ以下が好ましい。
【００２８】
図３は、第１の加熱剥離型粘着層３の接着力低下の反応・変化を模式的に示した図である。図３左図の加熱前の加熱剥離型粘着層３の表面に対して、図３右図の加熱後は島状に多数の大きな粒子が発生し、粘着力が低下した加熱剥離型粘着層３０となっている。なお、加熱剥離型粘着層５も同様である。
【００２９】
図４は、第１の加熱剥離型粘着層３と第２の加熱剥離型粘着層５とに含まれる熱膨張性微小球の膨張曲線を示している。縦軸は、熱膨張性微小球の倍率である。第１の加熱剥離型粘着層３と第２の加熱剥離型粘着層５のうち、低温側で最初に剥離する一方の加熱剥離型粘着層を剥離させる温度より他方の加熱剥離型粘着層の発泡開始温度が高いことが好ましい。最初に剥離する加熱剥離型粘着層は、容易に剥離可能であれば発泡開始温度と最大膨張温度との間の温度で剥離を行ってよい。具体的には、第２の加熱剥離型粘着層５の発泡開始温度５Ｓは、第１の加熱剥離型粘着層３の発泡開始温度３Ｓよりも２０℃以上異なり、低い発泡開始温度であることが好ましい。言い換えると、３Ｓは５Ｓより２０℃以上高い発泡開始温度であることが好ましく、第１、第２の加熱剥離型粘着剤３、５を所望の順番に剥離することが容易に可能となる。図４では、第２の加熱剥離型粘着層５の最大膨張温度５Ｍより第１の加熱剥離型粘着層３の発泡開始温度３Ｓの方が高い例を示している。このような温度関係とすることで一方が剥離する際に他方の剥離は開始しないため、より安全に剥離を行うことができる。また、複数の撮像素子のうち、一部の撮像素子を剥離する際に特に有効である。なお、第１の加熱剥離型粘着層３の最大膨張温度３Ｍまで温度を上昇させる必要は必ずしも無い。ここでは、第１の加熱剥離型粘着層３より第２の加熱剥離型粘着層５が低温で発泡を開始する熱膨張性微小球としているが、温度の関係を逆転させても良い。その場合は、撮像素子に対する剥離の順番が、基台、シンチレータとなる。
【００３０】
次に、放射線撮像装置１の製造方法を、図５の各工程の簡易的な断面図によって説明する。
【００３１】
まず、配線基板１０を接続した撮像素子４の準備と、基台２の準備と、シンチレータ６の準備を行う（不図示）。本実施例の製造方法では、撮像素子４はシリコン基板を用いたＣＭＯＳセンサを、基台２はガラスを、シンチレータ６ＣｓＩ：Ｔｌを用いた。
【００３２】
図５（ａ）は、吸着工程であり、ステージ２０上に配置された撮像素子４を搬送手段２１によって吸着する。ステージ２０は各撮像素子４の配置が乱れないように撮像素子４を吸引によって固定する。
【００３３】
図５（ｂ）は、ステージ２２上に固定した基台２に撮像素子４を固定部材となる第１の加熱剥離型粘着層３を介して接着する固定工程である。固定部材となる第１の加熱剥離型粘着層３は、加熱によって接着力が低下する材料である。図２（ａ）で示したセパレータ３１、３２を剥離して撮像素子４に第１の加熱剥離型粘着層３を固定している。図５（ｂ）では固定部材となる第１の加熱剥離型粘着層３を撮像素子４側に配置しているが、基台２側に配置しても良い。なお、本明細書における「固定」とは、基台２と撮像素子４との間に第１の加熱剥離型粘着層３のみが配置されている構成に加え、他の材料が配置されている構成を含むとする。
【００３４】
図５（ｃ）は、固定工程を所定回数繰り返して撮像素子４を配置し、撮像素子４の検査をする第１の検査工程である。撮像素子４に可視光を照射してプローブ２３から信号を読み取って検査を行う。この工程で撮像素子４に異常が発見されると第１の加熱剥離型粘着層３を加熱して欠陥を有する撮像素子を交換する。「欠陥を有する撮像素子」とは、実装中の静電気或いは異物の巻込み、またその他の原因で、許容範囲外の動作や取得画像となる撮像素子を含む。「リペア」とは、欠陥を有する撮像素子の交換に必要な作業を含み、リワークとも称される。
【００３５】
図５（ｄ）は、シンチレータ６を固定部材となる第２の加熱剥離型粘着層５を介して接着する固定工程である。図２（ｂ）で示したセパレータ５１、５２を剥離してシンチレータ６に第２の加熱剥離型粘着層５を固定している。図５（ｄ）では固定部材となる第２の加熱剥離型粘着層５をシンチレータ６側に配置しているが、撮像素子４側に配置しても良い。第２の加熱剥離型粘着層５の発泡開始温度は、第１の加熱剥離型粘着層３の発泡開始温度よりも２０℃低い材料を用いている。当然ながら発泡開始温度を２０℃以上、例えば５０℃低い材料を用いることが可能である。
【００３６】
図５（ｅ）は、基台２、撮像素子４、シンチレータ６が固定された後の、撮像素子４の第２の検査工程である。シンチレータ６に放射線を照射してプローブ２３から信号を読み取って検査を行う。この時点で欠陥を有する撮像素子か否を確認し、欠陥を有する撮像素子と判断されれば当該撮像素子を交換する。さらに、シンチレータ６の検査も行われる。シンチレータ６の欠陥による画質への影響があると判断されればシンチレータ６を交換する。撮像素子４やシンチレータ６の剥離は図６及び図７を用いて説明する。図６はシンチレータ６と撮像素子４とを分離する第１の加熱分離工程を示す断面図である。図６（ａ）では、ステージ２２上に基台２、第１の加熱剥離型粘着層３、撮像素子４、第２の加熱剥離型粘着層５、シンチレータ６の順の積層構造を有する放射線撮像装置を加熱しているようすを示している。放射線撮像装置の周囲の雰囲気の温度を制御できるオーブンで加熱した。なお、加熱方法は他の方法でも良く、例えばシンチレータ６の上側にヒーターを配置して熱伝導により加熱しても良い。そして、図６（ｂ）に示すように、第２の加熱剥離型粘着層５は、加熱によって接着力が低下した第２の加熱剥離型粘着層５０となる。その結果、図６（ｃ）に示すように、シンチレータ６は、撮像素子４から容易に取り外すことが可能となる。この時、撮像素子４は第１の加熱剥離型粘着層３によって固定されているため、個々の撮像素子４は安全である。図７は撮像素子４と基台２とを分離する第２の加熱分離工程を示す断面図である。図７（ａ）では、ステージ２２上に基台２、第１の加熱剥離型粘着層３、撮像素子４の順の積層構造を有する装置を加熱（ステージ２２側から赤外線を照射）しているようすを示している。加熱方法は他の方法でも良く、オーブン内で加熱しても良く、基台２の裏側にヒーターを配置して熱伝導により加熱しても良い。そして、図７（ｂ）に示すように、第１の加熱剥離型粘着層３は、加熱によって接着力が低下した第１の加熱剥離型粘着層３０となる。その結果、図７（ｃ）に示すように、撮像素子４は、基台２から容易に取り外すことが可能となる。撮像素子４の基台２とは反対側の表面を搬送手段などで固定し、加熱すれば安全に所望の撮像素子４を取り外すことができる。なお、図で示したように、第１の加熱剥離型粘着層３が撮像素子毎に分離している場合、交換対象の撮像素子４のみを取り外すことが容易になる。この場合、欠陥を有さない撮像素子４を有効活用できるため、コストの低減が可能となる。欠陥を有する撮像素子を交換した場合は、言うまでもなく、図５（ａ）〜図５（ｅ）と同様にして加熱剥離型粘着層を介して新たな撮像素子、シンチレータを固定していく。
【００３７】
図５（ｆ）は、検査工程で欠陥が確認されなかった放射線撮像装置の周囲を樹脂１１によって封止する封止工程である。この工程によって撮像素子が封止される。配線基板１０は封止工程で樹脂１１によって固定されるため、樹脂１１を貫通している。基台２とシンチレータ６とが容易に剥離しないための強度向上や、外部からの水分などの浸入を低減して信頼性向上が可能になる。
【００３８】
以上のように、撮像素子の交換が容易な放射線撮像装置を得ることが可能となる。そして、撮像素子を取り外した基台の面は、固定部材の残渣が少ないため、次の撮像素子の固定が容易になる。
【実施例２】
【００３９】
図８は、第２の実施例を示す放射線撮像装置の部分断面図である。図８の放射線撮像装置においては、図１の放射線撮像装置と同じ構成に関しては同じ符号を付し、詳細な説明は省略する。筐体１５内に実施例１で説明した装置が配置されている。撮像素子４は、シリコン基板に形成されたＣＭＯＳセンサである。配線基板１０はＦＰＣである。基台２は紫外線を透過するガラスである。シンチレータ６はシンチレータ層としてのＣｓＩ：Ｔｌを有する。そして、筐体１５内には、基台２、撮像素子４、シンチレータ６が配置されており、シンチレータ６と筐体１５との間には緩衝材１４が配置されている。撮像素子４と配線基板１０を介して信号の転送及び処理を行う回路素子１２が配置されている。また、樹脂１１の側面には緩衝材１３が配置されている。樹脂１１、緩衝材１３は、撮像素子４が感知する光の波長を吸収する黒色の樹脂が好ましい。そして、緩衝材１３は、樹脂１１の外周を全て囲んでいることが好ましい。このような構成とすることで、他の回路基板の発光素子からの光が迷光として基台２などを通して撮像素子４へ入射することを防ぎ、画質の低下を低減することができる。
【実施例３】
【００４０】
図９は、第３の実施例を示す放射線撮像装置を分解した斜視図である。図１０は、本実施例の放射線撮像装置の部分的な断面図である。本実施例の放射線撮像装置においては、図１の放射線撮像装置と同じ構成に関しては同じ符号を付し、詳細な説明は省略する。
【００４１】
本実施例においては、１つの撮像素子を有する放射線撮像装置である。撮像素子４は、ガラス基板４１にスイッチ素子４２と光電変換素子４３が配置されている。
【００４２】
第１の加熱剥離型粘着層３の熱膨張性微小球３３は画素ピッチＰよりも大きく、第２の加熱剥離型粘着層５の熱膨張性微小球５５は画素ピッチＰよりも小さい。
【００４３】
第２の加熱剥離型粘着層５の熱膨張性微小球５５の平均粒径が、撮像素子４の画素ピッチＰより小さいため、熱膨張性微小球５５によって散乱した光は大きくは広がらない。そのため、得られる画像の鮮鋭度（ＭＴＦ）の低下を抑制することができる。これに対して、例えば第２の熱膨張性微小球５５の平均粒径を、図中の第１の熱膨張性微小球３３のように、画素ピッチより大きなサイズに設定すると、シンチレータ６からの光の散乱が大きくなる。
したがって、剥離の容易性、すなわち交換のしやすさと画質とを両立することができる。
【実施例４】
【００４４】
図１１は本発明に係わるＸ線放射線撮像装置のＸ線診断システム（放射線撮像システム）への応用例を示した図である。Ｘ線チューブ６０５０（放射線源）で発生したＸ線６０６０は患者あるいは被験者６０６１の胸部６０６２を透過し、シンチレータを上部に実装したイメージセンサ６０４０（放射線撮像装置）に入射する。この入射したＸ線には患者６０６１の体内部の情報が含まれている。Ｘ線の入射に対応してシンチレータは発光し、これを光電変換して、電気的情報を得る。この情報はデジタル信号に変換され信号処理手段となるイメージプロセッサ６０７０により画像処理され制御室の表示手段となるディスプレイ６０８０で観察できる。なお、放射線撮像システムは、放射線撮像装置と、放射線撮像装置からの信号を処理する信号処理手段とを少なくとも有する。
【００４５】
また、この情報は電話回線６０９０等の伝送処理手段により遠隔地へ転送でき、別の場所のドクタールームなど表示手段となるディスプレイ６０８１に表示もしくは光ディスク等の記録手段に保存することができ、遠隔地の医師が診断することも可能である。また記録手段となるフィルムプロセッサ６１００により記録媒体となるフィルム６１１０に記録することもできる。また記録手段となるレーザプリンタによって紙に印刷することもできる。
【符号の説明】
【００４６】
１  放射線撮像装置
２  基台
３  第１の加熱剥離型粘着層
４  撮像素子
５  第２の加熱剥離型粘着層
６  シンチレータ
７  基板
８  シンチレータ層
９  保護層
１０  配線基板
１１  樹脂
【図１】
0005645500.tif 000002
【図２】
0005645500.tif 000003
【図３】
0005645500.tif 000004
【図４】
0005645500.tif 000005
【図５】
0005645500.tif 000006
【図６】
0005645500.tif 000007
【図７】
0005645500.tif 000008
【図８】
0005645500.tif 000009
【図９】
0005645500.tif 000010
【図１０】
0005645500.tif 000011
【図１１】
0005645500.tif 000012